(57)【要約】【課題】光ヘッドで読み出し可能なバーコード状のマークを有する再生専用光記録媒体において、信号を有する反射層の厚みが薄くなると、従来用いられる高出力の赤外線レーザーで反射層を焼く方法では、マークのエッジが荒れ、バーコードの形状を良好に形成することが困難であった。【解決手段】信号を有する反射層に隣接して、再生ヘッドで読み出す側に追記層を設け、その部分にマークを光ヘッドによって書き込むことにより、各再生専用光媒体に固有の情報を記録することによって、反射膜の厚みによらず再生ヘッドで読み出し可能で、かつ追記された情報を改ざんすることが困難な光情報録媒体を提供する。【選択図】  図１
2004192723.tif 000002
【特許請求の範囲】
【請求項１】
少なくとも１層の再生専用の信号層と、前記信号層を光ヘッドによって再生する側に、光によって追記可能な追記層を有し、前記追記層に固体固有情報を含んだマークが追記された光情報記録媒体。
【請求項２】
前記マークがバーコード状のマークであることを特徴とする請求項１記載の光情報記録媒体。
【請求項３】
前記マークが前記光ヘッドで読み出す際に、光の強度変化として検出されることを特徴とする請求項１または２に記載の光情報記録媒体。
【請求項４】
前記追記層が前記光ヘッドの波長では追記できず、かつ異なる波長の光で追記可能なことを特徴とする請求項１から３のいずれか一項に記載の光情報記録媒体。
【請求項５】
前記追記層の前記マークが記録された位置には、前記信号層に読み出すべき信号が含まれないことを特徴とする請求項１から４のいずれか一項に記載の光情報記録媒体。
【発明の詳細な説明】
【０００１】
【発明の属する技術分野】
本発明は、光ディスク等の光情報記録媒体に関するものであり、特に再生専用の信号を含む媒体でありかつ固体の識別情報を含むマークが記録された光情報記録媒体に関する。
【０００２】
【従来の技術】
従来、光ディスクにおいては、シリアル番号やロット番号などをバーコード化して光ディスク上に記録し、識別をする手法がとりいれられて来た。
【０００３】
例えばＤＶＤにおいては、ＢＣＡ（バースト  カッティング  エリア）として、光ディスクを再生するドライブに備えられた光ヘッドでその情報を読み取り可能なバーコードの方式が提案され、実用化されている（例えば、非特許文献１参照）。
【０００４】
特に再生専用のＤＶＤ−ＲＯＭにおいては、ＹＡＧレーザー（波長１０６４ｎｍ）を用いて、情報が記録された信号層上の金属反射膜を焼ききることで、バーコード状のマークを形成している。
【０００５】
【非特許文献１】
ＤＶＤ  Ｓｐｅｃｉｆｉｃａｔｉｏｎｓ  ｆｏｒ  Ｒｅａｄ−Ｏｎｌｙ  Ｄｉｓｃ，  Ｐａｒｔ  １，  ＰＨＹＳＩＣＡＬ  ＳＰＥＣＩＦＩＣＡＴＩＯＮＳＶｅｒｓｉｏｎ  １．０  Ａｕｇｕｓｔ  １９９６  （Ａｎｎｅｘ  Ｋ：  Ｂｕｒｓｔ  Ｃｕｔｔｉｎｇ  Ａｒｅａ  −  Ｃｏｄｅ）
【０００６】
【発明が解決しようとする課題】
ところで、ＹＡＧレーザーでマークを形成する場合、金属反射膜の厚みが厚ければ、良好な形状のマークが形成されるが、反射膜の厚みが薄くなると、マーク形状が不安定になり、マークを良好に形成することが難しい。そこで、片側から読み出し可能な２層の再生専用信号層を有するＤＶＤ−ＲＯＭにおいては、十分に金属反射膜の厚みが厚い、再生ヘッドから見て遠い側の信号層にマークを形成するよう定義されている。
【０００７】
しかしながら、さらなる高密度の再生専用ディスクの場合、形成される信号（ピット）の大きさが０．２μｍ以下となり、十分な反射率が得られるだけの金属反射膜を形成すると、ピット大きさが金属反射膜によって覆われることで変化し、良好な再生信号が得られにくいという課題がある。
【０００８】
本発明は、これらの課題を考慮し、金属反射膜の厚みが薄く、反射率が低い再生専用光ディスクにおいて、再生光ヘッドで再生可能なマークが作成された光情報記録媒体を提供することを目的とする。
【０００９】
【課題を解決するための手段】
この課題を解決するため、本発明の光記録媒体は、再生専用の信号層とは別に、固体情報等を含んだマークを追記する追記層を設け、追記層に光を照射してディスク固体毎に異なる情報を記録することによって、信号層にマークを記録することなしに、再生光ヘッドによってその固体情報が読み出し可能とすることを特徴とする。
【００１０】
【発明の実施の形態】
以下、本発明の実施の形態について図面を参照して説明する。
【００１１】
本発明の光情報記録媒体としての光ディスクの概要を説明し、次にその作成方法について、説明する。
【００１２】
まず、光ディスクの概要について説明する。
【００１３】
本発明の光ディスクは、略直径１２０ｍｍ、略内径１５ｍｍ、厚さ略１．２ｍｍであり、厚み略０．１ｍｍの透明層を通して、波長略４０５ｎｍ、開口数略０．８５の光ヘッドを用いて、情報を記録再生する。
【００１４】
ディスクの構造を図１を基に説明する。ピットもしくは溝が転写された信号領域１０７を有する厚み略１．１ｍｍの基板１０１に金属材料、たとえばＡｇ合金が反射率略４０％となるようにスパッタ法等によって形成された反射層１０２を形成する。この際のＡｇ合金の膜厚は略３３ｎｍである。その上に、光の照射によって光の反射率が変化する色素を含有した厚みが数１００ｎｍ以下の追記層１０３を重ねる。そして、追記層１０３上に厚み略８０μｍのポリカーボネイトシート１０４をＵＶ硬化樹脂１０５によって貼り合せた構造をしている。
【００１５】
このとき、追記層１０３には、その材料が色素によらず、相変化記録材料等光によって追記可能で、かつ再生光の波長で所望の透過率確保できる材料であれば、使用可能である。
【００１６】
また、追記層１０３と反射層１０２の間には、反射層１０２の腐食等による劣化を防ぐため、薄い誘電体や樹脂層を形成しておくこともできる。
【００１７】
さらにＵＶ硬化樹脂層１０５とポリカーボネイトシート１０４については、再生光の透過率が確保でき、合計で所望の厚み約１００μｍが形成できる材料であれば代用することは可能である。
【００１８】
追記層１０３の内周部には、放射状にバーコード状のＢＣＡマーク１０６が追記されている。
【００１９】
このとき、信号領域１０７は、ＢＣＡマーク１０６が記録されている半径領域を含むことが望ましく、少なくともＢＣＡマーク１０６の読み出しに使用する半径領域を含んでいることが望ましい。
【００２０】
また、ＢＣＡマーク１０６が記録されている半径領域の信号領域１０７の部分は、ＢＣＡマークによって信号読み出しが阻害される可能性があるため、その領域には読み出すべき信号は含まれていないことが望ましい。
【００２１】
なお、信号領域１０７を複数有する光ディスクの場合は、ＢＣＡマーク１０６を再生しようとする信号層の近傍に、追記層１０３を形成しておくことが望ましい。
【００２２】
次に、本発明の実施の形態における光ディスクの作成方法について図２を参照して説明する。
【００２３】
まず、ピット等によって情報が記録された金型であるスタンパ２０１を作成する。これは、マスタリングと呼ばれる光ディスク作成における一般的な方法によって作成する。
【００２４】
スタンパ２１０を元に、射出成形によって、厚み略１．１ｍｍの基板２０１を作成する。
【００２５】
さらに、スパッタ法によって、基板２０１上にＡｇ合金の反射層２０２を形成する。この際、使用する金属材料は、Ａｇ合金に限らず、Ａｌ合金等再生波長、ここでは４０５ｎｍに対して所望の反射率が得られる材料であれば使用可能である。
【００２６】
反射層２０２上に、色素をスピンコートによって塗布し、追記層２０３を形成する。なお、追記層２０３の形成はスパッタや蒸着等が可能な材料であればスピンコート以外の方法を使用することも可能である。
【００２７】
そして、ほぼ基板２０１の形状にされたポリカーボネイトシート２０４にＵＶ硬化樹脂２０５を滴下し、上記基板２０１を重ねて回転させ、ＵＶ硬化樹脂２０５の厚みが均一となった状態でＵＶ照射によってＵＶ硬化樹脂２０５を硬化させる。
【００２８】
さらに、ポリカーボネイトシート２０４上に、ハードコート２０６を塗布し、硬化させてディスク２０７が作成される。
【００２９】
なお、本発明の実施の形態では、ポリカーボネイトシート２０４をＵＶ硬化樹脂２０５で貼り合せたが、同等の厚みを、ＵＶ樹脂のスピンコート等、結果的に略透明な材料で形成できるのであれば、他の方法で作成することもできる。
【００３０】
次に、ディスク２０７をターンテーブル２０８に保持し、回転させながら光ヘッド２０９を所望の半径位置に移動し、回転するディスク２０７に対し、記録すべきＢＣＡマークに応じた信号で変調された光を追記層２０３に照射して、バーコード状のＢＣＡマークが形成され、完成ディスクとなる。
【００３１】
なお、光ヘッド２０９に使用する波長は、光ディスクを再生する光の波長と一致させる必要は無く、追記層２０３が記録されやすい波長を用いるのがよい。
【００３２】
また、信号を有する反射層２０２が複数層有するディスクの場合には、ＢＣＡマークを記録すべき反射層に光ヘッド２０９の焦点を合わせて記録することで、所望の反射層の部分にＢＣＡマークを形成できる。
【００３３】
本発明のディスクは、ＢＣＡマークが追記層に記録されるため、追記によって後からマークを消すこと、あるいは読み出し不可能にすることはできるが、新たに別の情報を加えたり、改ざんすることができない。したがって、不正コピーによって複数の同じ情報を持ったディスクを作ることができず、再生専用の光ディスクにおいては、その複製を不可能にすることができる。
【００３４】
【発明の効果】
以上説明したように、本発明にかかる光記録媒体は、従来の方法では困難であった膜厚の薄い金属反射膜を持った再生専用ディスクにおいても、光ヘッドで読み出し可能な、固体情報を有するたとえばバーコード状のマークを有する光記録媒体を提供できる。
【図面の簡単な説明】
【図１】本発明の実施の形態における光ディスクを説明する概略図
【図２】本発明の実施の形態における光ディスク原盤の作成工程を説明する工程図
【符号の説明】
１０１  基板
１０２  反射層
１０３  追記層
１０４  ポリカーボネイトシート
１０５  ＵＶ硬化樹脂層
１０６  ＢＣＡマーク
１０７  信号領域
２０１  基板
２０２  反射層
２０３  追記層
２０４  ポリカーボネイトシート
２０５  ＵＶ硬化樹脂
２０６  ハードコート
２０７  ディスク
２０８  ターンテーブル
２０９  光ヘッド
２１０  スタンパ
【図１】
2004192723.tif 000003
【図２】
2004192723.tif 000004